【手続補正書】
【提出日】平成28年6月21日(2016.6.21)
【手続補正１】
【補正対象書類名】明細書
【補正対象項目名】０００８
【補正方法】変更
【補正の内容】
【０００８】
また、本発明の高電圧発生装置の第２の態様によれば、前記高電圧発生装置の第１の態様であって、前記一対のコアが容器の内部空間を規定する内壁面に装着されている。
【手続補正２】
【補正対象書類名】明細書
【補正対象項目名】００２０
【補正方法】変更
【補正の内容】
【００２０】
さらに、電力供給回路１１の絶縁トランス１２１、１２３、１２５、１２７は、少なくとも一対のコア（本実施形態では４組のトロイダルコア１５、１７、１９、２１）とトロイダルコア１５、１７、１９、２１に巻回される巻線部材２３と、を有し、トロイダルコア１５、１７、１９、２１を通る巻線部材２３の、一対のトロイダルコア間（例えば、１５ａと１５ｂの間、１５ｂと１５ｃの間）に延在する引き出し部２６により囲まれる引き出し領域１０には前記領域内を貫通する磁束を遮断するための磁束遮蔽手段が設けられている。本実施形態では、当該磁束遮蔽手段は、前記巻線部材の、一対のトロイダルコア１５間に延在する引き出し部２６が互いに捻じられることにより構成されている。このように、引き出し領域１０を狭くすることにより、互いに隣り合う絶縁トランス間１２１、１２３，１２５、１２７及び後述のフィードバック絶縁トランス１２９、１３１、１３３、１３５で、一方の絶縁トランスの磁束が、他方の絶縁トランスの磁束に影響をすることを防止している。
【手続補正３】
【補正対象書類名】明細書
【補正対象項目名】００２４
【補正方法】変更
【補正の内容】
【００２４】
トロイダルコア１５〜２２を容器５の内壁面５ａに固定する手段として、金属製のＣリング２９（２９ａ〜２９ｃ）が利用されている。容器５の内壁面５ａ上には、水平方向に延在する溝５ｂが刻設され、Ｃリング２９が溝５ｂに嵌合し内壁面５ａに固定されている。また、トロイダルコア１５〜２２とＣリング２９とが同電位となるように、トロイダルコア１５〜２２は、Ｃリング２９に対し固定用細線等で巻き付けられている。なお、トロイダルコア１５〜２２と、Ｃリング２９とが同電位である限り、ねじ、接着剤等の手段を用いてトロイダルコア１５〜２２をＣリング２９に固定できる。このようにトロイダルコアを内壁面５ａに固定することにより、高電圧発生装置２の寸法を小さくできるともに、トロイダルコアを固定するための構成部材が不要となるので、軽量化できる。
【手続補正４】
【補正対象書類名】明細書
【補正対象項目名】００２５
【補正方法】変更
【補正の内容】
【００２５】
また、トロイダルコア１５（１５ａ〜１５ｄ）の間には、１ターンの巻線部材２３（２３ａ〜２３ｃ）が巻回されている。具体的には、内壁面５ａの最上位置にある第１のトロイダルコア１５ａと、第１のトロイダルコア１５ａより低い位置に固定され、第１のトロイダルコア１５ａに上下方向に関し隣り合う第２のトロイダルコア１５ｂとに第１の巻線部材２３ａが巻回されている。さらに、第１の巻線部材２３ａの、第１及び第２のトロイダルコア１５ａ、１５ｂの穴内及び外周面を通る屈曲部から延び、第１及び第２のトロイダルコア１５ａ、１５ｂとの間に延在する２つの引き出し部は、互いに捻じり合わされている。
【手続補正５】
【補正対象書類名】明細書
【補正対象項目名】００３０
【補正方法】変更
【補正の内容】
【００３０】
また、図２に示すように、電力供給手段である第１のアノード電力供給回路５２、第２のアノード電力供給回路５４、及び第３のアノード電力供給回路５６のそれぞれは、ヒータ電力回路５０と同様に絶縁トランスを有している。図示はしないが、第１のアノード電力供給回路５２は、４つのトロイダルコア１７及び３組の１ターンの巻線部材を有し、第２のアノード電力供給回路５４は、４つのトロイダルコア１９及び３組の１ターンの巻線部材を有し、第３のアノード電力供給回路５６は、４つのトロイダルコア２１及び３組の１ターンの巻線部材を有している。ヒータ電力供給回路５０、第１〜第３のアノード電力供給回路５２、５４、５６のその他の構成については、後述する。
【手続補正６】
【補正対象書類名】明細書
【補正対象項目名】００４４
【補正方法】変更
【補正の内容】
【００４４】
また、フィードバック回路６０、６２、６４、６６のトロイダルコア１６、１８、２０、２２は、第１〜第４の絶縁トランス１２１、１２３、１２５、１２７を構成するトロイダルコア１５、１７、１９、２１と同様に、トロイダルコア１６、１８、２０、２２がＣリング２９を介して容器５の内壁面５ａに固定されている。従って、同じＣリング２９に装着される絶縁トランス１２１、１２３、１２５、１２７及びフィードバック絶縁トランス１２９、１３１、１３３、１３５のトロイダルコア１５〜２２同士は、等電位となる。
【手続補正７】
【補正対象書類名】明細書
【補正対象項目名】００４８
【補正方法】変更
【補正の内容】
【００４８】
〔分圧回路〕
分圧回路１５１は、図１（ｂ）に示されるように容器５の内部空間５ａ内に配置される。また、図３に示されるように、ＣＷＣ１３の高電位側には、複数の同抵抗Ｒ１〜Ｒ１２から形成される分圧回路１５１の一端部が接続され、他端部には、端子８５、８７を介しＰＷＭ直流可変電源回路７３が接続され、ＣＷＣ１３のフィードバック抵抗として機能している。さらに、本実施形態では、Ｃリング２９ａ、２９ｂ、２９ｃ、２９ｄの電位は、それぞれ９０ＫＶ、６０ＫＶ、３０ＫＶ、接地である。また、絶縁コード３１ａ、３１ｂ、３１ｃの電位は、それぞれ、７５ＫＶ、４５ＫＶ、１５ＫＶである。このように、分圧回路１５１に、フィードバック機能と、電圧供給回路に電位を供給する機能を付与することで容器５の寸法を小さくできる。もちろん、ＣＷＣ１３のフィードバック抵抗と、電圧供給回路に電位を供給する分圧抵抗とを別々に設ける構成にすることも可能である。
【手続補正８】
【補正対象書類名】明細書
【補正対象項目名】００５１
【補正方法】変更
【補正の内容】
【００５１】
本実施形態の磁束遮蔽手段は、コア間に延在する巻線部材の２つの引き出し部を互いに捻り合わせることにより、引き出し部により囲まれる引き出し領域を貫通する磁束を遮断する構成であるが、捻り合わせることなく２つの引き出し部を互いに当接させることにより両引き出し部間の隙間を（引き出し領域の）無い構成とすることも可能である。
【手続補正９】
【補正対象書類名】明細書
【補正対象項目名】００５６
【補正方法】変更
【補正の内容】
【００５６】
なお、本実施形態の第１のトロイダルコア（図１（ａ）の参照符号１５ａ、１７ａ）に巻回され、フィラメント制御回路１１１、第１〜第３のアノード制御回路１１３、１１５、１１７に連結される、絶縁トランス１２１、１２３、１２５、１２７を構成する二次側のコイル部材は、複数回巻回されるエナメル線により構成されている。また、第１〜第４のフィードバック絶縁トランス１２９、１３１、１３３、１３５を構成し、フィラメント制御回路１１１、第１〜第３のアノード制御回路１１３、１１５、１１７に連結される、２次側のコイル部材と、全波整流器５５に連結されるコイル部材とは、複数回巻回されるエナメル線により構成されている。
【手続補正１０】
【補正対象書類名】特許請求の範囲
【補正対象項目名】全文
【補正方法】変更
【補正の内容】
【特許請求の範囲】
【請求項１】
電子を放出する電子放出部材に高電圧を供給するための高電圧発生装置であって、
前記電子放出部材に電流を供給できる電力供給手段と、
前記電力供給手段に所定の電位を付与するための高電圧発生部と、を備え、
前記電力供給手段は、一対のコアと前記一対のコア間に巻回される巻線部材とを有し、前記巻線部材の前記一対のコア間に延在する引き出し部により囲まれる引き出し領域には前記領域内を貫通する磁束を遮断するための磁束遮蔽手段が設けられていることを特徴とする高電圧発生装置。
【請求項２】
前記一対のコアが容器の内部空間を規定する内壁面に装着されていることを特徴とする請求項１に記載の高電圧発生装置。
【請求項３】
前記電力供給手段により前記高電圧発生部に所定の電位を付与するように制御するフィードバック回路を備えていることを特徴とする請求項１又は２に記載の高電圧発生装置。
【請求項４】
前記磁束遮蔽手段は、前記巻線部材の、前記一対のコア間に延在する引き出し部が互いに捻じられることにより構成されていることを特徴とする請求項１〜３のいずれか一項に記載の高電圧発生装置。
【請求項５】
前記電力供給手段を複数備え、一方の前記電力供給手段が有する一対のコア間に延在する引き出し部と、他方の前記電力供給手段が有する一対のコア間に延在する引き出し部とは、捻じられる方向が互いに異なることを特徴とする請求項４に記載の高電圧発生装置。
【請求項６】
前記一方の電力供給手段を構成する絶縁トランスと、前記他方の電力供給手段を構成する絶縁トランスとには、互いに逆位相の電流が供給されることを特徴とする請求項５に記載の高電圧発生装置。